(57)【特許請求の範囲】
【請求項１】
探索対象を探索してその位置を計測するための探索レスキューシステムが、
探索対象が携行する電気信号を発信する信号発生装置と、
前記電気信号を受信する電気信号受信手段と、前記電気信号を解析して前記信号発生装置から発信された信号であることを判断する解析手段と、前記判断結果に基づいて解析信号を生成する解析信号生成手段と、前記解析信号をネットワーク網を介して送受信する通信手段と、からなる一又は複数の探索対象発見ユニットと、
前記探索対象発見ユニットから送信された解析信号を受信して探索対象の位置を計測する位置計測手段と、
前記信号発生装置と前記一又は複数の探索対象発見ユニットと前記位置計測手段とによって構成されるネットワーク網と、からなり、
探索対象発見ユニットが、探索対象の携行する前記信号発生装置から継続的または断続的に発信される電気信号を電気信号受信手段により受信する事により探索対象の存在を把握し、前記電気信号受信手段が受信した電気信号を解析手段が分析して前記信号発生装置から発信された電気信号であるかどうかを解析して判断するとともに、前記信号発生装置から発信された信号であると判断した場合に前記通信手段が解析信号生成手段によって生成された前記解析信号をネットワーク網を介して他の探索対象発見ユニットまたは位置計測手段に送信し、
他の探索対象発見ユニットは、前記探索対象発見ユニットから送信された解析信号を受信して他の探索対象発見ユニットまたは前記位置計測手段に送信し、
前記位置計測手段は、前記探索対象発見ユニットから送信される解析信号を受信して探索対象の存在を確認するとともに、解析信号の受信状態の分断を検知して解析信号の取得を継続するための解析信号の通信ルートを制御するとともに、
前記探索対象発見ユニットはＧＰＳ受信装置を搭載しており、前記信号発生装置からの電気信号を受信した際に前記ＧＰＳ受信装置によって取得した探索対象発見ユニットの位置情報をネットワーク網を介して他の探索対象発見ユニットまたは位置計測手段に送信し、前記位置計測手段は、前記探索対象発見ユニットから送信される複数の位置情報を受信して探索対象の存在位置を三点計測を行う事により分析することを特徴とする探索レスキューシステム。
【請求項２】
前記一又は複数の探索対象発見ユニットは、移動自在な移動体に設置され、移動しながら探索対象発見ユニットが他の探索対象発見ユニットまたは位置計測手段との間で通信を行う事を特徴とする請求項１記載の探索レスキューシステム。
【請求項３】
前記移動体は、飛行移動自在な複数の飛行体であることを特徴とする請求項２記載の探索レスキューシステム。
【請求項４】
前記信号発生装置と前記探索対象発見ユニットと前記位置計測手段とからなるネットワーク網は、無線ネットワークで構成されるとともに、該ネットワーク網の構成がメッシュ型ネットワークからなり、前記信号発生装置から前記位置計測手段への電気信号および解析信号の伝送路を任意に選択可能としたことを特徴とする請求項１記載の探索レスキューシステム。
【発明の詳細な説明】
【技術分野】
【０００１】
本発明は、遭難者等の探索対象を探索してその存在位置を特定するためのシステムに関し、特に、逸失物や遭難者に携行させた信号発生装置から発せられる電気信号を頼りに逸失物や遭難者の存在位置を把握可能にするとともに、逸失物や遭難者の発見時には、その逸失物や遭難者の存在位置をネットワークを経由して容易かつ迅速に認識可能とするための探索レスキューシステムに関する。
【背景技術】
【０００２】
従来より、逸失物や遭難者を発見し、その存在箇所を特定するための各種の措置が開発されており、逸失物や遭難者の存在箇所の特定の効率性、迅速性、正確性、信頼性を考慮したシステムが開発され、使用されている。特に、山岳救助などにおける遭難者の発見に関しては、探索する範囲が極めて広範囲であり、かつ迅速かつ確実に発見することが要求されるため、柔軟性および効率性に長けたシステムであることが要求されている。【０００３】
例えば、遭難者の位置を特定するためのシステムに関する技術として、特開２００５−２２９４４９号が存在する。ここでは、複数の電波を発振する機能を有する小型発信器を登山者が携行し、遭難時に先ず、発信された遠距離まで届くＶＨＦ〜ＵＨＦ帯の電波を頼りに、上空からヘリコプター等による第一次探索を行ない、次に、遭難救援センターを通して遭難エリアの情報を伝えられた地上探索隊が、遭難現場に近づき、ＭＦ帯またはＭＦ帯およびＶＨＦ〜ＵＨＦ帯の電波で第二次探索を行なうことにより遭難者を発見する技術が開示されている。この技術により、雪崩などで雪中に埋もれた遭難者の位置を早期に特定して救出に役立てることが可能となる旨が示唆されている。【０００４】
この技術によると、確かに遭難者の存在を把握する事は可能となる。しかしながら、この構成では、遭難者の存在位置を高い精度で特定する事は極めて困難であり、極めてあいまいな位置情報を基に捜索を行う事となり、探索隊等の二次災害の発生が懸念されるという大きな問題点があった。また、電波が届かないような地形である場合には、遭難者の存在の把握すらままならない可能性があるという致命的な問題が内在していた。更に、第一次探索をヘリコプター等が単独で行うこととなり、効率が良いとは言えないという問題点も存在していた。【０００５】
また、特開２００２−３４２８５８号では、被捜索者に携帯される発見支援装置が現在の位置情報を送信し、情報管理装置が、行動計画に基づき遭難可能性を検出するとともに、発見支援装置から被捜索者の現在位置情報を取得して捜索者に提供することで捜索活動を支援し、発見支援装置から位置情報を取得できないときには、移動無線中継機を誘導して発見支援装置から位置情報を取得して捜索活動を支援するシステムに関する技術が開示されている。これにより、遭難の可能性がある場合に迅速かつ的確に警告し、効率的な捜索行なうことができる旨が示唆されている。【０００６】
この技術によると、発見支援装置から被捜索者の現在位置情報を取得できない場合であっても、被捜索者の発見が可能になると考えられるが、被捜索者の行動計画が存在しない場合には、移動無線中継機を的確に誘導することが極めて困難であり、迅速に被捜索者を発見することが必ずしも可能となるとは言えなかった。【０００７】
そこで、逸失物や遭難者の存在を容易かつ確実に把握可能とするとともに、逸失物や遭難者の発見時には、その逸失物や遭難者の存在箇所を高精度で算出し、その場所を迅速に特定して伝達可能とするための探索レスキューシステムの開発が望まれていた。
【特許文献１】特開２００５−２２９４４９号公報
【特許文献２】特開２００２−３４２８５８号公報
【発明の開示】
【発明が解決しようとする課題】
【０００８】
本発明は、逸失物や遭難者等の探索対象を探索してその存在位置を特定するためのシステムであって、特に、逸失物や遭難者が携行する信号発生装置から発せられる電気信号を頼りに逸失物や遭難者の存在を容易に把握することを可能とするとともに、逸失物や遭難者の発見時には、その逸失物や遭難者の存在箇所をネットワークを経由して伝達し、容易かつ迅速に把握することを可能とするための探索レスキューシステムを提供することを目的とする。
【課題を解決するための手段】
【０００９】
上記の目的を達成するために本発明に係る探索対象を探索してその位置を計測するための探索レスキューシステムは、探索対象が携行する電気信号を発信する信号発生装置と、前記電気信号を受信する電気信号受信手段と、前記電気信号を解析して前記信号発生装置から発信された信号であることを判断する解析手段と、前記判断結果に基づいて解析信号を生成する解析信号生成手段と、前記解析信号をネットワーク網を介して送受信する通信手段と、からなる一又は複数の探索対象発見ユニットと、前記探索対象発見ユニットから送信された解析信号を受信して探索対象の位置を計測する位置計測手段と、前記信号発生装置と前記一又は複数の探索対象発見ユニットと前記位置計測手段とによって構成されるネットワーク網と、からなり、探索対象発見ユニットが、探索対象の携行する前記信号発生装置から継続的または断続的に発信される電気信号を電気信号受信手段により受信する事により探索対象の存在を把握し、前記電気信号受信手段が受信した電気信号を解析手段が分析して前記信号発生装置から発信された電気信号であるかどうかを解析して判断するとともに、前記信号発生装置から発信された信号であると判断した場合に前記通信手段が解析信号生成手段によって生成された前記解析信号をネットワーク網を介して他の探索対象発見ユニットまたは位置計測手段に送信し、他の探索対象発見ユニットは、前記探索対象発見ユニットから送信された解析信号を受信して他の探索対象発見ユニットまたは前記位置計測手段に送信し、前記位置計測手段は、前記探索対象発見ユニットから送信される解析信号を受信して探索対象の存在を確認するとともに、解析信号の受信状態の分断を検知して解析信号の取得を継続するための解析信号の通信ルートを制御するとともに、前記探索対象発見ユニットはＧＰＳ受信装置を搭載しており、前記信号発生装置からの電気信号を受信した際に前記ＧＰＳ受信装置によって取得した探索対象発見ユニットの位置情報をネットワーク網を介して他の探索対象発見ユニットまたは位置計測手段に送信し、前記位置計測手段は、前記探索対象発見ユニットから送信される複数の位置情報を受信して探索対象の存在位置を三点計測を行う事により分析する構成である。
【００１０】
また、前記一又は複数の探索対象発見ユニットは、移動自在な移動体に設置され、移動しながら探索対象発見ユニットが他の探索対象発見ユニットまたは位置計測手段との間で通信を行う構成である。
また、前記移動体は、飛行移動自在な複数の飛行体である構成である。【００１１】
また、前記信号発生装置と前記探索対象発見ユニットと前記位置計測手段とからなるネットワーク網は、無線ネットワークで構成されるとともに、該ネットワーク網の構成がメッシュ型ネットワークからなり、前記信号発生装置から前記位置計測手段への電気信号および解析信号の伝送路を任意に選択可能としたこと構成である。
【発明の効果】
【００１３】
本発明は、上記詳述した通りの構成であるので、以下のような効果がある。
１．探索対象発見ユニットが解析手段を用いて電気信号を解析する構成としたため、探索対象が携行する信号発生装置から発せられた電気信号であるかどうかを確実に判断することが可能となる。また、信号発生装置と探索対象発見ユニットと位置計測手段とによってネットワーク網を構成したため、迅速に解析信号を位置計測手段に伝達することが可能となる。また、探索対象発見ユニットが、他の探索対象発見ユニットから送信された解析信号を受信して更に他の探索対象発見ユニットまたは位置計測手段に送信する構成としたため、途切れることなく解析信号を位置計測手段に伝達することが可能となる。また、位置計測手段が、解析信号の受信状態の分断を検知して解析信号の通信ルートを制御する構成としたため、解析信号の取得を途切れることなく継続することが可能となり、探索対象により早く安全にたどり着く事が出来る。【００１４】
２．探索対象発見ユニットを移動自在な移動体に設置したため、探索対象発見ユニットが移動しながら他の探索対象発見ユニットや位置計測手段との間で通信しながら探索を行う事が可能となり、通信経路に流動性が生じ効果的な探索をすることが可能となる。
３．移動体を飛行移動可能な飛行体としたため、ネットワーク網の構成の自由度を高めることが可能となる。【００１５】
４．信号発生装置と探索対象発見ユニットと位置計測手段とで構成されるネットワーク網をメッシュ型の無線ネットワークとしたため、あらゆる規模・範囲に対応したネットワーク網を構成することが可能となり、通信経路の任意の選択が可能となる。
５．探索対象発見ユニットがＧＰＳ受信装置を搭載しているため、位置計測手段が複数の位置情報を受信して三点計測を行う事で探索対象の存在位置を分析することが可能となる。
【発明を実施するための最良の形態】
【００１６】
以下、本発明に係る探索レスキューシステムを、図面に示す実施例に基づいて詳細に説明する。図１は、本発明に係る探索レスキューシステムの概略図であり、図２は、遭難者を探索する場合の探索レスキューシステムの概略図である。【００１７】
本発明に係る探索レスキューシステム１は、図１または図２に示すように、信号発生装置１０と、探索対象発見ユニット２０と、位置計測手段３０と、ネットワーク網４０とからなり、信号発生装置１０から発信される電気信号１００を探索対象発見ユニット２０が受信して解析し、位置計測手段３０に伝送する事により、探索対象を探索してその存在箇所を計測・特定するための探索レスキューシステムである。本発明に係る探索レスキューシステム１は、探索を要する物や人の存在箇所を解析して特定する事を目的としており、特に、山岳や海上における遭難者を早期に発見することにも供されるシステムである。【００１８】
信号発生装置１０は、逸失物３００ａや遭難者３００ｂなどの探索対象が携行する装置であり、図１に示すように、電気信号１００を発信する機能を有する電気通信器具である。信号発生装置１０は、継続的または断続的に電気信号１００を発信する装置であり、本実施例では、Ｂｌｕｅｔｏｏｔｈ（登録商標）規格に基づいた通信を行う機器であり、電気信号１００は、２．４ＧＨｚの周波数帯における電波に該当するものであり、逸失信号または遭難信号を継続的または断続的に発信する（Ｂｌｕｅｔｏｏｔｈ（登録商標）のペアリングにおける、所謂「探索可能状態」とする）ことにより受信機器の接続を待つ構成である。電波強度は、Ｃｌａｓｓ１に分類される仕様となっているため、探索対象の存在位置から約１００ｍの範囲で機器との通信が可能な構成となっているが、これらに限定される事なく、他の仕様や他の通信規格に基づいた通信を行う構成とすることが可能である。【００１９】
信号発生装置１０は、本実施例では、逸失物３００ａや遭難者３００ｂが携行して使用されるものである。物品（逸失物３００ａ）の場合には、物品の内部または外部に小型発信装置からなる信号発生装置１０を直接設置し、信号発生装置から電波（電気信号１００）を発信してＢｌｕｅｔｏｏｔｈ（登録商標）のペアリングにおける探索可能状態にする構成である。また、人（遭難者３００ｂ）の場合には、遭難者３００ｂが専用の小型発信装置からなる信号発生装置１０を保有装備し、或は、携帯電話機等に設置して携行して、信号発生装置１０から電波（電気信号１００）を発信してＢｌｕｅｔｏｏｔｈ（登録商標）のペアリングにおける探索可能状態にする構成であるが、これに限定される事なく、他の装備方法によって携行する構成とすることが可能である。【００２０】
探索対象発見ユニット２０は、図１および図２に示すように、信号発生装置１０から発信される電気信号１００を受信する事により、逸失物３００ａや遭難者３００ｂなどの探索対象の存在を把握するための装置であり、本発明に係る探索レスキューシステム１では、一または複数個の探索対象発見ユニット２０が設置される構成となっている。【００２１】
探索対象発見ユニット２０は、本実施例では、電気信号受信手段２２と、解析手段２４と、解析信号生成手段２５と、通信手段２６とからなる構成である。電気信号受信手段２２は、信号発生装置１０から発信される電気信号１００を受信するための手段であり、本実施例では、信号発生装置１０から発信される電気信号１００を受信するための探索操作を移動しながら行う。【００２２】
電気信号受信手段２２が移動しながら探索操作を行い電気信号１００の到達範囲内に進入した場合に探索対象の信号発生装置１０から発せられる探索可能状態を示す電気信号１００が受信されると、その電気信号１００が探索対象（３００ａ、３００ｂ）から発せられたものであるかどうかを解析することが可能となる。解析手段２４は、電気信号受信手段２２が受信した電気信号１００を解析して探索対象（３００ａ、３００ｂ）から発せられた信号であるかどうかを解析する。【００２３】
本実施例では、Ｂｌｕｅｔｏｏｔｈ（登録商標）を用いているため、例えば、信号発生装置１０が特定のプロファイルに対応しているかどうかを判断する事により、信号発生装置１０から発信された信号であることを判断することが可能となる。更に、信号発生装置１０側と探索対象発見ユニット２０側の固定されたパスキーまたは入力によるパスキーを照合することにより、より正確に信号発生装置１０から発信された電気信号１００であることを判断することが可能となる。なお、電気信号受信手段２２と解析手段２４は、個別の装置としてもよいし、両方の機能を有する合体した装置として構成してもよい。【００２４】
解析信号生成手段２５は、解析信号２００を生成するための手段である。本実施例では、電気信号受信手段２２が受信した電気信号１００が、信号発生装置１０から発信された信号であると解析手段２４が判断した場合に、解析信号生成手段２５が解析信号２００を生成する構成である。なお、これは探索対象（３００ａ、３００ｂ）が近辺に存在していることを検出している状態を表している。【００２５】
解析信号２００は、探索対象発見ユニット２０が信号発生装置１０から発せられる電気信号１００を受信している状態（探索対象の存在を検出している状態）を示す信号であり、探索対象発見ユニット２０が複数存在する場合には、本実施例ではどの探索対象発見ユニット２０の解析信号生成手段２５によって生成された解析信号２００であるかを識別可能とする識別情報が付加された構成とすることが可能である。この構成とする事により、探索対象を検出した探索対象発見ユニット２０が何れであるかを識別することが可能となり、ネットワーク網４０を伝送される解析信号２００が複数存在することとなっても、各々の解析信号２００の発信元の探索対象発見ユニット２０を特定することが可能となる。更に、探索対象発見ユニット２０のＧＰＳによる位置情報５００を付加することにより、探索対象を検出したユニットの位置を把握する事が可能となる。なお、上記識別情報や位置情報５００は、解析信号２００の付加情報とせず、別途それぞれ個別にネットワーク網４０に送信する構成とする事も可能である。【００２６】
通信手段２６は、解析信号２００をネットワーク網４０に送信し、またはネットワーク網４０を介して受信するための手段である。通信手段２６は、本実施例では、解析信号生成手段２５によって生成された解析信号２００を後述する他の探索対象発見ユニット２０や位置計測手段３０に送信するため、ネットワーク網４０に信号を送出する送信機能を有するとともに、ネットワーク網４０を介して他の探索対象発見ユニット２０から送信されて来た解析信号２００を受信する受信機能や、その解析信号２００を更に適正なネットワーク網４０へ送出する中継機能やルート選択機能を有する。通信手段２６は、解析信号２００をパケット分割して送信するパケット通信機能を有する構成とすることが可能である。また、欠損パケット再送機能や誤り訂正機能を有する構成とすることも可能である。この構成とする事により、信号のロスや送信エラーを低減させてより確実に解析信号２００を位置計測手段３０に伝送することが可能となる。【００２７】
なお、逸失物３００ａや遭難者３００ｂなどの探索対象は、移動する可能性が考えられる。また、本実施例では、探索対象発見ユニット２０は探索対象を自ら探索するため移動自在とすることが可能となっている。従って、本実施例では、通信手段２６は、解析信号２００を継続的にネットワーク網４０へ送信して探索対象発見ユニット２０の位置情報５００を伝達し続ける構成となっている。この構成とすることにより、探索対象が移動した場合であっても、探索対象発見ユニット２０が電気信号１００を受信している間は継続して、常に変化するその位置情報５００を送信されることになるとともに、探索対象や探索対象発見ユニット２０の移動により、探索対象の信号発生装置１０から発信された電気信号１００を探索対象発見ユニット２０の解析信号生成手段２５が受信できなくなった場合には、解析信号２００の送信を中止（送信取消、中止信号を送信）することにより、探索対象の不検出状態を把握することが可能となり、探索対象のタイムリーな存在位置の情報を検出し把握することが可能となる。特に、移動する探索対象発見ユニット２０の解析信号生成手段２５が電気信号１００を受信できなくなった場合には、探索対象（特に、遭難者３００ｂ）の存在箇所から遠ざかった（電気信号１００が届く範囲を超え、Ｂｌｕｅｔｏｏｔｈ（登録商標）では約１００ｍ以上の隔離）ことを意味するため、探索すべき箇所の特定のヒントとして活用する事が可能となる。【００２８】
位置計測手段３０は、探索対象発見ユニット２０から送信された解析信号２００を受信し、逸失物３００ａや遭難者３００ｂなどの探索対象の位置を計測するための手段であり、本実施例では、図１または図２に示すように、逸失物探索センターや遭難者探索拠点などに設置されるＰＣ等のコンピュータ機器からなる。本実施例では、位置計測手段３０はＰＣ等にインストールされたソフトウェアがネットワーク網４０を介して受信した解析信号２００を解析し、探索対象の位置を分析して計測する構成となっている。【００２９】
解析信号２００は、前述のように、どの探索対象発見ユニット２０の解析信号生成手段２５によって生成された解析信号２００であるかを識別可能とするための探索対象発見ユニットの識別情報が付加された構成であり、更に探索対象発見ユニット２０のＧＰＳによる位置情報５００が送信される構成となっているため、位置計測手段３０が解析信号２００を受信することで、探索対象の存在箇所を容易に把握することが可能となる。また、探索対象から発せられる電気信号１００の捕捉状況をタイムリーに把握できるため、探索対象の移動状況を迅速に把握できるとともに、探索対象発見ユニット２０が移動可能な構成の場合、探索対象発見ユニット２０を電気信号１００を捕捉できそうな位置に移動させることで探索対象を正確に探索することが可能となる。【００３０】
ネットワーク網４０は、電気信号１００と解析信号２００の伝送ルートであり、本実施例では、図１または図２に示すように、信号発生装置１０と一又は複数の探索対象発見ユニット２０と位置計測手段３０とによって構成されている。ネットワーク網４０は、電気信号１００と解析信号２００以外に、探索対象発見ユニット２０のＧＰＳによる位置情報５００や、探索対象発見ユニット２０のステータス情報など、探索対象の探索に付随する各種情報を流す構成とすることが可能である。【００３１】
以下、本発明に係る探索レスキューシステム１による探索対象の探索方法について説明する。探索対象（３００ａ、３００ｂ）が携行する信号発生装置１０が、電気信号１００を常時発信し、または操作により発信を開始する。探索対象発見ユニット２０は、電気信号１００を電気信号受信手段２２により受信する。電気信号受信手段２２が受信した電気信号１００は、解析手段２４が分析を行う。電気信号１００が信号発生装置１０から発信された信号であると判断した場合、解析信号生成手段２５が解析信号２００を生成し、通信手段２６が解析信号２００をネットワーク網４０に送出して、受信機能を有する他の探索対象発見ユニット２０または位置計測手段３０に送信する。【００３２】
探索対象発見ユニット２０は、他の探索対象発見ユニット２０から送信された解析信号２００を受信した場合、直ちにその解析信号２００をネットワーク網４０に再送出して、他の探索対象発見ユニット２０または位置計測手段３０に向けて送信する。これにより、複数の探索対象発見ユニット２０が順次解析信号２００を伝送し続け、最終的に位置計測手段３０に送信されることとなり、伝送距離が長い場合や、伝送経路に障害が存在する場合や、探索対象発見ユニット２０が移動して伝送経路の変更が必要となった場合であっても、最適な伝送ルートを選択することが可能となる。【００３３】
位置計測手段３０は、解析信号２００を受信することにより探索対象の存在を確認し、探索対象発見ユニット２０の位置情報５００を用いて探索対象の存在位置を分析する。複数の探索対象発見ユニット２０が存在する場合は、複数送信されてくる解析信号２００の送信元の探索対象発見ユニット２０の位置情報５００を分析することで、探索対象の存在箇所をより詳細に特定できる。【００３４】
また、位置計測手段３０は、探索対象発見ユニット２０による解析信号２００の受信状態の分断を検知して、解析信号２００の通信ルートを制御する制御機能を有する構成である。この構成とすることにより、解析信号２００の伝送・取得が分断されることなく、送受信を継続することが可能となり、途切れることのない安定した解析信号２００の送信が可能となる。【００３５】
一又は複数からなる探索対象発見ユニット２０は、図１または図２に示すように、それぞれ移動自在な移動体４００に設置する構成とすることが可能である。この構成とすることにより、例えば移動体４００を自動車などで構成した場合、探索対象発見ユニット２０を移動させながら他の探索対象発見ユニット２０または位置計測手段３０との間で通信を行う事が可能となり、通信経路が流動的な構成となるとともに、逸失物３００ａや遭難者３００ｂなどの探索対象を積極的に探索しに行くことが可能となり、探索範囲を流動的な構成とすることが可能となる。【００３６】
移動体４００は、図２に示すように、飛行移動自在な複数の飛行体とすることが可能である。この構成とすることにより、特に探索対象が遭難者３００ｂである場合に、飛行体に搭載された各探索対象発見ユニット２０が流動的なネットワークを組んで相互に通信しながら遭難者３００ｂを探索する構成とすることが可能となり、機動的かつ効率的な探索対象の探索を行うことが可能となるとともに、雪山や海上など、容易に人が近づけない場所であっても、ネットワークが繋がる範囲内において、安全かつ確実に遭難者３００ｂの探索を行うことが可能となる。なお、本実施例では、飛行体として小型の航空機やドローンとしている。これにより、航空機を用いた場合には、素早く大ざっぱな遭難者３００ｂの存在位置を把握することが可能となり、ドローンを用いた場合には、より詳細な遭難者３００ｂの存在位置を把握することが可能となる。【００３７】
信号発生装置１０と探索対象発見ユニット２０と位置計測手段３０とからなるネットワーク網４０は、無線ネットワークとする構成とすることが可能である。更に、ネットワーク網４０の構成をメッシュ型ネットワークとすることが可能である。この構成とすることにより、信号発生装置１０から位置計測手段３０への電気信号１００および解析信号２００の伝送路を任意に選択することが可能となる。すなわち、あらゆる規模・範囲に対応したネットワーク網を構成することが可能となるため、逸失物３００ａや遭難者３００ｂなどの探索対象を探索するための柔軟なシステムを構築することが可能となり、特に、遭難者３００ｂを空から探索するためのドローン等を利用したレスキューがより効率的となる。【００３８】
位置計測手段３０は、前述の通り、ネットワーク管理機能を有しており、ネットワーク網４０の切断等の不具合を検出して適切な伝送ルートを確保する構成となっているが、探索対象発見ユニット２０がそれぞれ、ルーティング機能を有する構成とすることが可能である。これにより、きめ細かなルーティング制御が可能となり、特にメッシュ状の無線ネットワークにおける最適な伝送ルートの確保を容易とすることが可能となる。【００３９】
探索対象発見ユニット２０は、図１および図２に示すように、ＧＰＳ受信装置２８を搭載した構成とすることが可能である。本実施例では、信号発生装置１０から送信された電気信号１００を電気信号受信手段２２が受信した際に、ＧＰＳ受信装置２８が探索対象発見ユニット２０の位置情報５００（ＧＰＳ情報）を取得する。その後、通信手段２６がネットワーク網４０を介して他の探索対象発見ユニット２０または位置計測手段３０に位置情報５００を送信する構成である。なお、位置情報５００は、解析情報２００のデータ中に含めて送信する構成としても良いし、解析情報２００と別に送信する構成としても良い。解析情報２００と別に送信する場合には、位置情報５００は解析情報２００と対応付けられてネットワーク網４０に送出される構成とすることが望ましい。【００４０】
位置計測手段３０は、電気信号１００を受信している探索対象発見ユニット２０から送信される複数の位置情報５００を受信することにより、探索対象の存在位置を三点計測を行って分析する構成である。すなわち、例えば、３つ以上の位置情報５００を受信している場合には、それぞれの位置から半径１００ｍの範囲が重なる箇所に逸失物３００ａや遭難者３００ｂなどの探索対象が存在する事となる。特に、本実施例では、各位置情報５００が１００ｍ以上離れている場合には、高精度で探索対象の位置情報を特定することが可能となり、特に山岳など起伏が激しい場所であっても、遭難者３００ｂを迅速に発見することが可能となった。
【図面の簡単な説明】
【００４１】
【図１】本発明に係る探索レスキューシステムの概略図
【図２】遭難者を探索する場合の探索レスキューシステムの概略図
【符号の説明】
【００４２】
１    探索レスキューシステム
１０    信号発生装置
２０    探索対象発見ユニット
２２    電気信号受信手段
２４    解析手段
２５    解析信号生成手段
２６    通信手段
２８    ＧＰＳ受信装置
３０    位置計測手段
４０    ネットワーク網
１００    電気信号
２００    解析信号
３００ａ    逸失物
３００ｂ    遭難者
４００    移動体
５００    位置情報
【要約】
【課題】
逸失物や遭難者が携行する信号発生装置から発せられる電気信号を頼りに逸失物や遭難者の存在を容易に把握するとともに、逸失物や遭難者の発見時に、その存在箇所をネットワークを経由して伝達し、容易かつ迅速に把握することを可能とする探索レスキューシステムを提供する。
【解決手段】
信号発生装置と、一又は複数の探索対象発見ユニットと、位置計測手段と、ネットワーク網と、からなり、探索対象発見ユニットが、電気信号を受信する事により探索対象の存在を把握し、受信した電気信号を解析手段が解析して信号発生装置から発信された信号と判断した場合に通信手段が生成された解析信号をネットワーク網を介して他の探索対象発見ユニットまたは位置計測手段に送信し、位置計測手段は、解析信号を受信して探索対象の存在を確認するとともに、解析信号の受信状態の分断を検知して解析信号の取得を継続するための通信ルートを制御する構成である。
【選択図】  図２【図１】
0005890942.tif 000002
【図２】
0005890942.tif 000003